(57)【要約】【課題】 電子部品が機器内の的確な位置に実装されるとともに、リード部品があっても必要以上の配設スペースを設けなくても済む、小型の機器を提供すること。【解決手段】  カバーフィルム１１の開口１２の開口寸法をランドパターン内の半田付け部分を必ず露出させるようにランドパターン１０の第１方向（図面上下方向）の位置ずれを許容する寸法にする。さらにチップ部品３０の電極と一致する寸法のランドパターン１０にしてチップ部品３０をパターン上で位置決めしてから機器に組み込む。【選択図】  図５
2005277095.tif 000002
【特許請求の範囲】
【請求項１】
電子部品が実装されてなる機器において、
電極を有する電子部品と、
前記電極が半田接続されるランドパターンを有するフレキシブルプリント基板と、
前記ランドパターンと重なる位置に開口を有し前記フレキシブルプリント基板に貼付されたカバーフィルムとを備え、
前記ランドパターンの、前記電極の幅に対応する第１の方向の寸法が、該電極の幅寸法と一致した寸法であり、
前記開口が、前記カバーフィルムの貼付位置ずれを許容して、前記ランドパターンの、前記電極との半田付け部分を露出する寸法を有するものであることを特徴とする機器。
【請求項２】
電子部品が実装されてなる機器において、
一個以上のチップ部品と、リード線が接続される一個のリードタイプ部品とが実装された、可撓性を持つフレキシブルプリント基板を備え、
前記フレキシブルプリント基板が、前記リードタイプ部品を取り囲むように折り込まれてなることを特徴とする機器。
【請求項３】
電子部品が実装されてなるカメラにおいて、
一個以上のチップ部品と、リード線が接続される一個のリードタイプ部品とが実装された、可撓性を持つフレキシブルプリント基板を備え、
前記フレキシブルプリント基板が、前記リードタイプ部品を取り囲むように折り込まれてなることを特徴とするカメラ。
【発明の詳細な説明】
【技術分野】
【０００１】
本発明は、電子部品が実装されてなる機器およびその機器の一つにあたるカメラに関する。
【背景技術】
【０００２】
電子部品が実装されてなる機器においては、多数の電子部品が基板に半田付けされて実装されることが多い。このような場合には基板を空きスペースに要領よく実装することができるように、板状の基板ではなく可撓性を持つフレキシブルプリント基板が良く用いられる（例えば特許文献１、特許文献２、特許文献３参照）。この特許文献１、特許文献２、特許文献３には、このようなフレキシブルプリント基板を機器内に要領よく実装する技術が開示されている。
【０００３】
ところで、フレキシブルプリント基板には、基板上の導体と外部との絶縁性を保つためにカバーフィルムがフレキシブルプリント基板を覆うように貼付される。ランドパターンを有する基板に貼付されるカバーフィルムは、電子部品が半田付けされる部分に開口を有するものであり、このカバーフィルムがフレキシブル基板に貼付されると、その開口によりランドパターンが露出する。
【０００４】
図１は機器に実装されるチップ部品が半田付けされるフレキシブルプリント基板２とチップ部品３０が半田付けされた後のフレキシブルプリント基板２を示す図である。
【０００５】
図１（ａ）にはフレキシブルプリント基板２の構成が示されており、図１（ｂ）にはチップ部品３０が図１（ａ）に示すフレキシブルプリント基板２に半田付けされた後の構成が示されている。この図１（ｂ）に示す状態でチップ部品３０が機器に実装される。
【０００６】
フレキシブルプリント基板２には、カバーフィルム２１が貼付されており、そのカバーフィルム２１には、ランドパターン２２内の半田付けされる半田付け部分２０を露出させるようにフレキシブルプリント基板上のランドパターン２２と対応する位置に開口２３が設けられている。このカバーフィルム２１がフレキシブルプリント基板に正しく貼付されていると、図１（ｂ）に示すように開口２３の中央に半田付け部分２０が位置して適正な位置にチップ部品３０が半田付けされる。
【０００７】
図２はカバーフィルム２１がずれてフレキシブルプリント基板に貼付された場合を示す図である。図２（ａ）にはカバーフィルムが図面上側にずれた場合の例が、図２（ｂ）にはカバーフィルムが図面下側にずれた場合の例がそれぞれ示されている。
【０００８】
図２（ａ）、図２（ｂ）いずれにおいてもカバーフィルム２１がずれて貼付されてしまうと、チップ部品３０が中央に半田付けされずにいずれか偏った半田付け部分２０に半田付けされてしまう。ランドパターン２２とチップ部品３０との接触が保たれれば動作するものであれば良いが、発光素子３０ａとその発光素子から発光された光が何か物体に当たって戻ってくる光を受光する受光素子３０ｂとを有するフォトリフレクタ（以下ＰＲという）のように半田付け部分２０に半田付けされることによって位置決めされて機器内に実装されてから性能を発揮する電子部品にあっては、機器に実装される位置（図中点線の＋符号で示す位置）がずれてしまって性能が低下してしまうことがある。
【０００９】
また、場合によっては、チップ部品とともにトランスなどのリード部品がフレキシブル基板に半田付けされ機器に実装される場合もある。このような場合にはチップ部品とともにリード部品を実装する分、大きなスペースが必要になってしまう。しかし、機器が小型であった場合には、チップ部品とともにリード部品が半田付けされたフレキシブル基板が機器に実装されなくなってしまう場合もある。このような機器の中にはカメラもある。
【特許文献１】特開平９−８０６００号公報
【特許文献２】特開平９−２７５２８５号公報
【特許文献３】特開平１１−５４８７８号公報
【発明の開示】
【発明が解決しようとする課題】
【００１０】
本発明は、上記事情に鑑み、電子部品が機器内に上手に実装される機器、およびその機器の一つにあたるカメラを提供することを目的とする。
【課題を解決するための手段】
【００１１】
上記目的を達成する本発明の第１の機器は、電子部品が実装されてなる機器であって、
電極を有する電子部品と、
上記電極が半田接続されるランドパターンを有するフレキシブルプリント基板と、
上記ランドパターンと重ねる位置に開口を有し前記フレキシブルプリント基板に貼付されたカバーフィルムとを備え、
上記ランドパターンの、上記電極の幅に対応する第１の方向の寸法がその電極の幅寸法と一致した寸法であり、
上記開口が、上記カバーフィルムの貼付位置ずれを許容して上記ランドパターンの、上記電極との半田付け部分を露出する寸法を有するものであることを特徴とする。
【００１２】
上記本発明の第１の機器によれば、上記開口が、上記カバーフィルムの貼付位置ずれを許容して上記ランドパターンの、上記電極との半田付け部分を露出する寸法を有するものであるため、カバーフィルムの貼付位置がずれてもその半田付け部分が必ず露出する。さらに、その開口から露出したランドパターンの、上記電極の幅に対応する第１の方向の寸法がその電極の幅寸法と一致した寸法であるため、双方の寸法を合わせるようにして半田付けを行なえば、電子部品が所定の位置に位置決めされ機器内の所定の位置に上手に実装される。
【００１３】
上記目的を達成する本発明の第２の機器は、電子部品が実装されてなる機器であって、
一個以上のチップ部品と、リード線が接続される一個のリードタイプ部品とが実装された、可撓性を持つフレキシブルプリント基板を備え、
上記フレキシブルプリント基板が、上記リードタイプ部品を取り囲むように折り込まれてなることを特徴とする。
【００１４】
上記第２の機器によれば、フレキシブルプリント基板がリードタイプ部品を取り囲むように折り込まれてから可撓性を持つフレキシブルプリント基板に半田付けされたチップ部品とリードタイプ部品とが機器に実装される。そうすると、一個以上のチップ部品とリードタイプ部品とが小型の機器であっても上手に実装される。
【００１５】
上記本発明を機器の一つにあたるカメラに適用すると、
上記課題を達成する本発明のカメラは、一個以上のチップ部品と、リード線が接続される一個のリードタイプ部品とが実装された、可撓性を持つフレキシブルプリント基板を備え、
上記フレキシブルプリント基板が、上記リードタイプ部品を取り囲むように折り込まれてなることを特徴とする。
【００１６】
そうすると小型のカメラボディ内に、一個以上のチップ部品と、リード線が接続される一個のリードタイプ部品とが実装された、可撓性を持つフレキシブルプリント基板が上手に実装される。
【発明の効果】
【００１７】
以上、説明したように、電子部品が機器内に上手に実装される機器が実現される。
【発明を実施するための最良の形態】
【００１８】
以下図面を参照して本発明の実施の形態を説明する。
【００１９】
図３は実施形態である機器の構成要素であるチップ部品とフレキシブルプリント基板とを示す図である。
【００２０】
図３に示すように機器に実装される電子部品として電極を有するチップ部品３０，４０と、その電極が半田接続されるランドパターンを有するフレキシブルプリント基板１と、ランドパターンと重なる位置に開口を有しフレキシブルプリント基板１に貼付されたカバーフィルム１２とが示されている。図３に示すようにチップ部品３０，４０がフレキシブル基板１に半田付けされた後、機器に電子部品がフレキシブル基板ごと実装される。なお、この図３には、チップ部品３０が半田接続されるランドパターンのほか、例えば機器内に配備されたコネクタ部との接続を図る接続パターン１００も示されている。
【００２１】
図４、図５は図３に示すフレキシブルプリント基板１と一個以上のチップ部品のうち、ＰＲであるチップ部品３０が半田付けされる部分および半田付けされた部分を抜粋した図である。
【００２２】
図４（ａ）にはフレキシブルプリント基板１の一部とカバーフィルム１１とそのカバフィルム１１に設けられた開口１２とが示されており、図４（ｂ）には図１と同様のチップ部品３０が実装された後の状態が示されている。また、図５（ａ）にはカバーフィルム１１が本発明にいう第１の方向にずれた場合のうち、上側にずれてカバーフィルムが貼付された例が示されており、図５（ｂ）にはカバーフィルム１１が本発明にいう第１の方向にずれた場合のうち、下側にずれてカバーフィルムが貼付された例が示されている。
【００２３】
図５（ａ），（ｂ）に示すように、フレキシブルプリント基板１に設けられたランドパターン１０の、チップ部品の電極の幅に対応する第１の方向ここでは上下方向の寸法が、チップ部品の電極の幅寸法と一致した寸法になっており、カバーフィルム１１の開口１２の第１の方向の寸法が貼付位置ずれを許容してランドパターン１０内の、チップ部品の電極との半田付け部分１０ａを露出する寸法になっている。
【００２４】
このようにすると、図５に示すようにカバーフィルム１１が第１の方向にずれて貼付されていたとしても、ランドパターン１０内の半田付け部分１０ａを必ず露出させるように開口１２が位置して、さらにチップ部品３０の電極幅がその電極幅と一致した幅寸法を持つことからチップ部品３０が所定の位置に必ず位置決めされ半田付けされてからこのフレキシブル基板１が機器に実装される。そうするとＰＲであるチップ部品３０が機器内の所定の位置に的確に実装され、所定の性能が発揮される。
【００２５】
なお、この実施形態では、ランドパターン１０の幅をチップ部品３０の電極の幅と一致させることで、ＰＲの位置決めをより正確に行なえるように改善しているため、本発明にいう第１の方向を上下方向としているが、もしもチップ部品３０の電極が図の左右方向に幅を有するものであれば、左右方向が第１の方向になる。また本発明においては上下方向あるいは左右方向のいずれかを第１の方向として開口の第１の方向の寸法をカバーフィルムの貼付位置ずれを許容するものとしているが、上下方向と左右方向との双方向とも貼付位置ずれを許容する寸法を有する開口を設けてあっても良い。
【００２６】
図６は、一個以上のチップ部品５０と、リード線が接続される一個のリードタイプ部品ここではトランス６０とが実装された、可撓性を持つフレキシブルプリント基板４０とを示す図である。
【００２７】
図６には、フレキシブルプリント基板にある両面のうち、一方の面（以降部品面という）と他方の面（以降半田面という）とが左右それぞれに示されている。図６に示すように半田面側のランドパターンに設けられた孔に部品面側からリードタイプ部品６０のリード線が挿通されてそのリード線が半田面のランドパターンに半田付けされ、チップ部品は半田面にすべて実装され半田付けされる。
【００２８】
リードタイプ部品であるトランス６０は、コアと巻き線を有する部品で、チップ部品に比べるとかなり大きい。そこで、図６（ｂ）に示すようにこのフレキシブルプリント基板４０を、トランス６０を取り囲むように折り込んだのち機器に実装するようにして、小型の機器であってもチップ部品とともにリード部品が機器に上手に実装されるようにしている。図６にも示すようにフレキシブルプリント基板４０がトランス６０を取り囲むように折り込まれると、基板の半田面側が表面になってチップ部品５０とリード部品６０との双方が上手に機器に実装される。
【００２９】
このようにフレキシブルプリント基板４０の可撓性を利用してフレキシブルプリント基板４０がリードタイプ部品を取り囲むように折り込まれて機器例えばカメラなどに実装されると、機器が小型であっても、リード部品とチップ部品とが上手に実装される。
【図面の簡単な説明】
【００３０】
【図１】機器に実装されるチップ部品が半田付けされるフレキシブルプリント基板２とチップ部品３０が半田付けされた後のフレキシブルプリント基板２を示す図である。
【図２】カバーフィルム２１がずれてフレキシブルプリント基板に貼付された場合を示す図である。
【図３】実施形態である機器の構成要素であるチップ部品とフレキシブルプリント基板とを示す図である。
【図４】図３のチップ部品３０が半田付けされる部分および半田付けされた部分を抜粋した図である。
【図５】図３のチップ部品３０が半田付けされる部分および半田付けされた部分を抜粋した図であって、カバーフィルムがずれた場合の例を示す図である。
【図６】一個以上のチップ部品５０と、リード線が接続される一個のリードタイプ部品ここではトランス６０とが実装された、可撓性を持つフレキシブルプリント基板４０とを示す図である。
【符号の説明】
【００３１】
１  フレキシブルプリント基板
１０  ランドパターン
１０ａ    半田付け部分
１１    カバーフィルム
１２    開口
３０    チップ部品（ＰＲ）
３０ａ    発光素子
３０ｂ    受光素子
４０    フレキシブルプリント基板
５０    チップ部品
６０    リードタイプ部品
【図１】
2005277095.tif 000003
【図２】
2005277095.tif 000004
【図３】
2005277095.tif 000005
【図４】
2005277095.tif 000006
【図５】
2005277095.tif 000007
【図６】
2005277095.tif 000008